(57)【特許請求の範囲】
【請求項１】
発射レールの発射位置に配置されたパチンコ球を打突するためのパチンコ球打突部材と、
前記発射レールにパチンコ球を供給するためのパチンコ球供給部材と、
を備え、
前記パチンコ球供給部材により前記発射レールへ供給されたパチンコ球を前記パチンコ球打突部材により逐次打突して発射する様に構成されたパチンコ球発射装置であって、
前記パチンコ球供給部材によりパチンコ球が供給されてから前記パチンコ球打突部材によりパチンコ球が打突されるまでの間に、前記発射レールの発射位置の近傍にて微振動するパチンコ球をレールに設けた穴を通して把持部を下方から持ち上げて、または上方から押さえつけて当接することにより当該パチンコ球の微振動を収束させて前記発射レールの発射位置にて静止させるパチンコ球静止部材を備え、
前記パチンコ球静止部材は、
前記発射レールの発射位置の近傍にて微振動するパチンコ球に少なくとも２点で当接する様に形成された把持部を備えることを特徴とするパチンコ球発射装置。
【請求項２】
前記把持部は、
前記発射レールの発射位置の近傍にて微振動するパチンコ球に少なくとも２点で当接する様にＵ字状又はＶ字状に形成されていることを特徴とする請求項１に記載のパチンコ球発射装置。
【請求項３】
前記パチンコ球静止部材は、
前記パチンコ球打突部材を駆動して周期的に打突動作を行わせる駆動源により駆動され、当該パチンコ球打突部材の打突動作と同一周期でパチンコ球に当接する動作を行うことを特徴とする請求項１乃至２の何れかに記載のパチンコ球発射装置。
【発明の詳細な説明】
【０００１】
【発明の属する技術分野】
本発明は、パチンコ遊技機を構成するパチンコ球発射装置に関し、特に、発射レール上の発射位置にパチンコ球を配置する機構に特徴があるパチンコ球発射装置に関する。
【０００２】
【従来の技術、及び発明が解決しようとする課題】
従来、パチンコ球発射装置は、発射レール上の所定の発射位置にパチンコ球を配置し、このパチンコ球をパチンコ球打突部材が打突することによって、パチンコ球を遊技領域へ向けて発射する様に構成されている。より詳しくは、パチンコ球供給部材によって発射レール上にパチンコ球が供給され、このパチンコ球が重力に従って発射位置まで移動した後で、パチンコ球打突部材がこのパチンコ球を打突する。
【０００３】
ところで、現在、パチンコ球発射装置は、遊技中、パチンコ球を０．６秒間周期で連続的に発射することができる様に構成されているので、パチンコ球が発射レール上に供給されてから発射部材によって打突されるまでの時間は、０．６秒間よりも更に短いことになる。
【０００４】
このため、発射レールに供給されて発射位置に到達したパチンコ球が未だ完全に静止しておらず、微振動しているときに、パチンコ球打突部材がパチンコ球を打突してしまうことがある。この様に、未だ完全に静止していないパチンコ球が打突されれば、当然、打突されたパチンコ球の進行方向及び速度にばらつきが生じる。
【０００５】
そこで、本発明は、発射レール上の所定の発射位置にてパチンコ球を確実に静止させることにより、パチンコ球打突部材に打突されて発射されるパチンコ球の進行方向及び速度を一定に保つことができる様にすることを目的とする。
【０００６】
【課題を解決するための手段、及び発明の効果】
この様な目的を達成するため、本発明にかかるパチンコ球発射装置は、請求項１に記載されている様に、発射レールの発射位置に配置されたパチンコ球を打突するためのパチンコ球打突部材と、前記発射レールにパチンコ球を供給するためのパチンコ球供給部材と、を備え、前記パチンコ球供給部材により前記発射レールへ供給されたパチンコ球を前記パチンコ球打突部材により逐次打突して発射する様に構成されたパチンコ球発射装置であって、前記パチンコ球供給部材によりパチンコ球が供給されてから前記パチンコ球打突部材によりパチンコ球が打突されるまでの間に、前記発射レールの発射位置の近傍にて微振動するパチンコ球をレールに設けた穴を通して把持部を下方から持ち上げて、または上方から押さえつけて当接することにより当該パチンコ球の微振動を収束させて前記発射レールの発射位置にて静止させるパチンコ球静止部材を備え、前記パチンコ球静止部材は、前記発射レールの発射位置の近傍にて微振動するパチンコ球に少なくとも２点で当接する様に形成された把持部を備えることを特徴とする。
【０００７】
本発明にかかるパチンコ球発射装置では、従来のパチンコ球発射装置と同様に、パチンコ球は、パチンコ球供給部材によって発射レール上に供給され、重力に従って発射位置まで移動する。そして、このパチンコ球がパチンコ球打突部材によって打突されるまでの間に、パチンコ球静止部材がこのパチンコ球に当接する。このため、仮に、発射レールに供給されて発射位置に到達したパチンコ球が微振動していたとしても、パチンコ球静止部材がパチンコ球に当接することによって微振動が急速に収束するので、パチンコ球は発射レールの発射位置に静止する。この結果、パチンコ球打突部材は、常に発射レールの発射位置に静止しているパチンコ球を打突することができる様になる。
【０００８】
従って、本発明にかかるパチンコ球発射装置は、パチンコ球打突部材に打突されて発射されるパチンコ球の進行方向及び速度を、一定に保つことができる。
パチンコ球静止部材がパチンコ球を持ち上げる様にして当接する様に構成されている場合には、パチンコ球に作用する重力とパチンコ球静止部材からパチンコ球に作用する上向きの力とによってパチンコ球を静止させることになるので、パチンコ球静止部材が極僅かな力で触れるだけでパチンコ球を静止させることができる。本発明のパチンコ球静止部材は、パチンコ球静止部材が、発射レールの発射位置の近傍にて微振動するパチンコ球に少なくとも２点で当接する様に形成されているので、特に効果がある。
一方、パチンコ球静止部材がパチンコ球を押さえ付ける様にして当接する様に構成されている場合には、発射レールとパチンコ球静止部材によりパチンコ球を挟み込むことによってパチンコ球を静止させることになるので、パチンコ球静止部材からパチンコ球に作用する力の大きさや向きに多少の誤差があってもパチンコ球を静止させることができる。
【０００９】
次に、請求項２に記載されている様に、前記把持部は、前記発射レールの発射位置の近傍にて微振動するパチンコ球に少なくとも２点で当接する様にＵ字状又はＶ字状に形成されていると良い。
本発明にかかるパチンコ球発射装置がこの様に構成されている場合には、パチンコ球静止部材がパチンコ球に一点で当接する様に構成されている場合に比べ、より確実にパチンコ球の微振動を収束させてパチンコ球を静止させることができる。
【００１２】
ところで、パチンコ球静止部材は、専用の駆動源によって駆動される様に構成されていても良いが、請求項３に記載されている様に、前記パチンコ球静止部材は、前記パチンコ球打突部材を駆動して周期的に打突動作を行わせる駆動源により駆動され、当該パチンコ球打突部材の打突動作と同一周期でパチンコ球に当接する動作を行う様に構成されていても良い。
【００１３】
本発明にかかるパチンコ球発射装置がこの様に構成されている場合には、パチンコ球静止部材を駆動するための駆動源を別途設ける必要がないので、装置の大型化や部品点数の増加を招かない。
【００１４】
【発明の実施の形態】
以下、本発明の一実施例を図面に基づいて説明する。
まず、本実施例のパチンコ球発射装置の構成について説明する。
図１，２は、本実施例のパチンコ球発射装置の構成を説明するための正面図であり、図１はパチンコ球静止腕が待機位置にある状態を表し、図２はパチンコ球静止腕が当接位置にある状態を表す。図３は、図１の状態にあるパチンコ球発射装置の平面図である。尚、図３では、コイルバネ等は省略されている。
【００１５】
図１乃至３に示す様に、本実施例のパチンコ球発射装置は、発射レール１１の発射位置（図２におけるパチンコ球の位置）に配置されたパチンコ球Ｂを打突するための発射槌１２と、発射槌１２が発射位置へ向かう様に付勢するコイルバネ１３と、発射モータ１４の回転軸１４ａに取り付けられて一方向に回転し、発射槌１２に取り付けられたカム受け部１２ａに係脱して、回動軸１２ｂを中心として発射槌１２を回動させる発射用駆動カム１５と、パチンコ球を発射レール１１の発射位置で静止させるためのストッパ１６と、発射モータ１４の回転軸１４ａに取り付けられて一方向に回転する小ドラム１９と、連結軸２０ａによって小ドラム１９に接続され、小ドラム１９が回転することにより、図１に示す待機位置から図２に示す当接位置まで移動するパチンコ球静止腕２０と、パチンコ球静止腕２０が待機位置から当接位置まで円滑に移動することができる様に導くパチンコ球静止腕ガイド２１と、を備える。
【００１６】
パチンコ球静止腕２０は、パチンコ球に少なくとも２点で当接する様にＵ字状に形成されている把持部２０ｂを有し、待機位置から当接位置まで移動すると、把持部２０ｂにより下方から持ち上げる様にしてパチンコ球に当接する様に構成されている。
【００１７】
発射レール１１には、パチンコ球静止腕２０（把持部２０ｂ）を挿通可能な長孔１１ａが穿設されている。
続いて、本実施例のパチンコ球発射装置の作用について説明する。
まず、パチンコ球Ｂは、図示しないパチンコ球供給機構によって発射レール１１上に供給され、重力に従って発射位置（図２におけるパチンコ球の位置）まで移動する。
【００１８】
そして、発射モータ１４の回転軸１４ａに取り付けられている小ドラム１９が図１，２の反時計回りに回転するに連れて、連結軸２０ａによって小ドラム１９に連結されたパチンコ球静止腕２０が、待機位置から当接位置へと移動する。
すると、当接位置にてパチンコ球静止腕２０の把持部２０ｂがパチンコ球Ｂに当接する。仮に、発射レール１１に供給されて発射位置に到達したパチンコ球Ｂが微振動していたとしても、パチンコ球静止腕２０の把持部２０ｂがパチンコ球Ｂに当接することによって微振動が急速に収束するので、パチンコ球Ｂは発射レール１１の発射位置に静止する。
【００１９】
そして、小ドラム１９と同じく発射モータ１４の回転軸１４ａに取り付けられている発射用駆動カム１５が反時計回りに回転し、発射用駆動カム１５が発射槌１２のカム受け部１２ａを押すと、発射槌１２はコイルバネ１３の付勢力に抗して時計回りに回動する（所謂バックスィング）。
【００２０】
更に発射用駆動カム１５が回転すると、発射槌１２は、コイルバネ１３の付勢力により反時計回りに回動し、発射レール１１の発射位置に静止しているパチンコ球Ｂを打突して発射する。
この様な一連の動作を繰り返すことにより、発射レール１１の発射位置へパチンコ球が逐次供給され、発射レール１１の発射位置に配置されたパチンコ球Ｂは、発射槌１２により逐次打突されて発射される。
【００２１】
尚、本実施例において、発射槌１２が前述のパチンコ球打突部材に相当し、パチンコ球供給機構（図示せず）が前述のパチンコ球供給部材に相当し、パチンコ球静止腕２０が前述のパチンコ球静止部材に相当し、発射モータ１４が前述の駆動源に相当し、する。
【００２２】
続いて、本実施例のパチンコ球発射装置の効果について説明する。
本実施例のパチンコ球発射装置によれば、仮に、発射レール１１に供給されて発射位置に到達したパチンコ球Ｂが微振動していたとしても、パチンコ球静止腕２０の把持部２０ｂがパチンコ球Ｂに当接することによって微振動が急速に収束するので、パチンコ球Ｂは発射レール１１の発射位置に静止する。この結果、発射槌１２は、常に発射レール１１の発射位置に静止しているパチンコ球Ｂを打突することができる様になる。従って、発射槌１２に打突されて発射されるパチンコ球Ｂの進行方向及び速度を、一定に保つことができる。
【００２３】
又、パチンコ球静止腕２０にはＵ字状の把持部２０ｂが形成されているので、少なくとも２点でパチンコ球Ｂに当接する。このため、パチンコ球Ｂに一点で当接する様に構成されている場合に比べ、より確実にパチンコ球Ｂの微振動を収束させてパチンコ球を静止させることができる。
【００２４】
又、パチンコ球静止腕２０は、把持部２０ｂによって下方から持ち上げる様にしてパチンコ球Ｂに当接する様に構成されている。このため、パチンコ球Ｂに作用する重力とパチンコ球静止腕２０からパチンコ球Ｂに作用する上向きの力とによってパチンコ球Ｂを静止させることになるので、パチンコ球静止腕２０の把持部２０ｂが極僅かな力で触れるだけでパチンコ球Ｂを静止させることができる。
【００２５】
又、パチンコ球静止腕２０は、発射槌１２を駆動して周期的に打突動作を行わせる発射モータ１４によって駆動され、発射槌１２の打突動作と同一周期でパチンコ球Ｂに当接する動作を行う様に構成されている。このため、パチンコ球静止腕２０を駆動するための駆動源を別途設ける必要がないので、装置の大型化や部品点数の増加を招かない。
【００２６】
以上、本発明の一実施例について説明したが、本発明は前述した実施例に何等限定されるものではなく、更に種々の態様において実施しても良いことはもちろんである。
例えば、実施例では、把持部２０ｂはＵ字状に形成されているが、Ｖ字状に形成されていても良い。
【００２７】
又、実施例では、パチンコ球静止腕２０は、把持部２０ｂによって下方から持ち上げる様にしてパチンコ球Ｂに当接する様に構成されているが、上方から押さえ付ける様にしてパチンコ球Ｂに当接する様に構成されていても良い。
又、実施例では、発射モータ１４の回転軸１４ａに小ドラム１９が取り付けられており、発射モータ１４が発射槌１２だけでなくパチンコ球静止腕２０の駆動源としても利用されているが、パチンコ球静止腕２０の駆動源が別途設けられていても良い。
【図面の簡単な説明】
【図１】  パチンコ球静止腕が待機位置にある状態におけるパチンコ球発射装置の正面図である。
【図２】  パチンコ球静止腕が当接位置にある状態におけるパチンコ球発射装置の正面図である。
【図３】  図１の状態におけるパチンコ球発射装置の平面図である。
【符号の説明】
１１…発射レール    １１ａ…長孔    １２…発射槌    １２ａ…カム受け部    １２ｂ…回動軸    １３…コイルバネ    １４…発射モータ    １４ａ…回転軸    １５…発射用駆動カム    １６…ストッパ    １９…小ドラム    ２０…パチンコ球静止腕    ２０ａ…連結部    ２０ｂ…把持部    ２１…パチンコ球静止腕ガイド    Ｂ…パチンコ球。
【図１】
0004556275.tif 000002
【図２】
0004556275.tif 000003
【図３】
0004556275.tif 000004